(57)【要約】【課題】複数の操作部を備えた、向上した使い勝手を有する撮像装置を提供する。【解決手段】被写体像を撮像して画像データを生成する撮像部と、使用者による操作を受け付ける第１操作部と、前記第１操作部で受け付けた操作および前記第１操作部とは異なる第２操作部で受け付けた操作に応じて、所定の機能を実行する制御部と、を備える。制御部は、画像データを動画として記録する動画記録処理を実行しているときは、第１操作部および第２操作部の各々に互いに異なる機能を割り当て、動画記録処理を実行していないときは、第１操作部および第２操作部に同一の機能を割り当てる。【選択図】図６
2014112833.tif 000002
【特許請求の範囲】
【請求項１】
被写体像を撮像して画像データを生成する撮像部と、
使用者による操作を受け付ける第１操作部と、
前記第１操作部で受け付けた操作および前記第１操作部とは異なる第２操作部で受け付けた操作に応じて、所定の機能を実行する制御部と、を備え、
前記制御部は、
前記画像データを動画として記録する動画記録処理を実行しているときは、前記第１操作部および前記第２操作部の各々に互いに異なる機能を割り当て、前記動画記録処理を実行していないときは、前記第１操作部および前記第２操作部に同一の機能を割り当てる、
撮像装置。
【請求項２】
被写体像を撮像して画像データを生成する撮像部と、
使用者による操作を受け付ける第１操作部と、
前記第１操作部で受け付けた操作および前記第１操作部とは異なる第２操作部で受け付けた操作に応じて、所定の機能を実行する制御部と、を備え、
前記制御部は、
前記画像データを記録用の動画として生成する動画撮影モードにおいては、前記第１操作部および前記第２操作部の各々に互いに異なる機能を割り当て、前記動画撮影モードとは異なる他のモードにおいては、前記第１操作部および前記第２操作部に同一の機能を割り当てる、
撮像装置。
【請求項３】
前記第１操作部は、前記撮像装置の第１外装面に配置され、
前記第２操作部は、前記第１外装面とは異なる第２外装面に配置されている、
請求項１および２のいずれかに記載の撮像装置。
【請求項４】
前記第１操作部は、前記撮像装置の第１位置に配置され、
前記第２操作部は、前記撮像装置の光軸を中心に前記第１位置から所定角度回転した位置に相当する第２位置に配置されている、
請求項１および２のいずれかに記載の撮像装置。
【請求項５】
前記制御部が前記第１操作部および前記第２操作部の各々に互いに異なる機能を割り当てるとき、前記制御部は、前記第２操作部に、動画撮影に関連した機能を割り当てる、
請求項１〜４のうちのいずれか一項に記載の撮像装置。
【請求項６】
前記第２操作部に割り当てられる前記動画撮影に関連した機能は、前記撮像装置に設けられたマイクロホンのゲインを設定する機能、前記マイクロホンにより収音された入力音声の周波数特性の補正処理を設定する機能、前記入力音声のノイズの抑圧処理を設定する機能、前記マイクロホンの指向性の合成処理を設定する機能、およびオートフォーカス設定を変更する機能のうちの少なくとも１つの機能を含む、
請求項５に記載の撮像装置。
【請求項７】
前記第２操作部は、前記撮像装置に装着されたバッテリ装置の外装面に配置されている、
請求項１〜６のうちのいずれか一項に記載の撮像装置。
【請求項８】
被写体像を撮像して画像データを生成する撮像部と、使用者による操作を受け付ける第１操作部と、前記第１操作部で受け付けた操作および前記第１操作部とは異なる第２操作部で受け付けた操作に応じて、所定の機能を実行する制御部と、を備えた撮像装置の、前記第１操作部および前記第２操作部に対する機能の割り当て方法であって、
前記制御部が、前記画像データを動画として記録する動画記録処理を実行しているか否かを判定し、
前記画像データを動画として記録する動画記録処理を実行しているときは、前記制御部が、前記第１操作部および前記第２操作部の各々に互いに異なる機能を割り当て、
前記動画記録処理を実行していないときは、前記制御部が、前記第１操作部および前記第２操作部に同一の機能を割り当てる、
機能の割り当て方法。
【請求項９】
被写体像を撮像して画像データを生成する撮像部と、使用者による操作を受け付ける第１操作部と、前記第１操作部で受け付けた操作および前記第１操作部とは異なる第２操作部で受け付けた操作に応じて、所定の機能を実行する制御部と、を備えた撮像装置の、前記第１操作部および前記第２操作部に対する機能の割り当て方法であって、
前記制御部が、動作モードが前記画像データを動画として生成する動画撮影モードであるか否かを判定し、
動画モードが前記動画撮影モードであるときは、前記制御部が、前記第１操作部および前記第２操作部の各々に互いに異なる機能を割り当て、
動画モードが前記動画撮影モードとは異なる他のモードであるときは、前記動画記録処理を実行していないときは、前記制御部が、前記第１操作部および前記第２操作部に同一の機能を割り当てる、
機能の割り当て方法。
【発明の詳細な説明】
【技術分野】
【０００１】
本開示は、複数の操作部を備え、複数の操作部の各々に機能を割り当てることが可能な撮像装置に関する。
【背景技術】
【０００２】
特許文献１は、以下の撮像装置を開示している。すなわち、撮像装置が縦位置の姿勢であることを検知している場合に第１のシャッターボタンから撮影動作の指令が入力されると、撮像装置は第１の撮影設定に基づいて撮影を行うように制御する。また、撮像装置が縦位置の姿勢であることを検知している場合に第２のシャッターボタンから撮影動作の指令が入力されると、撮像装置は第２の撮影設定に基づいて撮影を行うように制御する。さらに、撮像装置が縦位置の姿勢でないことを検知している場合には、撮像装置は、第１のシャッターボタンと第２のシャッターボタンのいずれから撮影動作の指令が入力されても第１の撮影設定に基づいて撮影を行うように制御する。
【先行技術文献】
【特許文献】
【０００３】
【特許文献１】特開２０１１−２２３１５７号公報
【発明の概要】
【発明が解決しようとする課題】
【０００４】
本開示は、複数の操作部を備え、使い勝手を向上した撮像装置を提供することを目的とする。
【課題を解決するための手段】
【０００５】
本開示の第１の態様に係る撮像装置は、被写体像を撮像して画像データを生成する撮像部と、使用者による操作を受け付ける第１操作部と、前記第１操作部で受け付けた操作および前記第１操作部とは異なる第２操作部で受け付けた操作に応じて、所定の機能を実行する制御部と、を備える。制御部は、画像データを動画として記録する動画記録処理を実行しているときは、第１操作部および第２操作部の各々に互いに異なる機能を割り当て、動画記録処理を実行していないときは、第１操作部および第２操作部に同一の機能を割り当てる。
【０００６】
本開示の第２の態様に係る撮像装置は、被写体像を撮像して画像データを生成する撮像部と、使用者による操作を受け付ける第１操作部と、第１操作部で受け付けた操作および第１操作部とは異なる第２操作部で受け付けた操作に応じて、所定の機能を実行する制御部と、を備える。制御部は、画像データを記録用の動画として生成する動画撮影モードにおいては、第１操作部および第２操作部の各々に互いに異なる機能を割り当て、動画撮影モードとは異なる他のモードにおいては、第１操作部および第２操作部に同一の機能を割り当てる。
【発明の効果】
【０００７】
本開示によれば、複数の操作部を備えた撮像装置の使い勝手を向上させることができる。
【図面の簡単な説明】
【０００８】
【図１】実施の形態１のデジタルカメラ１００の正面側から見た斜視図
【図２】実施の形態１のデジタルカメラ１００の背面側から見た斜視図
【図３】実施の形態１のデジタルカメラ１００の電気的構成を示すブロック図
【図４Ａ】実施の形態１の、デジタルカメラ１００の液晶モニタ１６３に表示される設定メニュー画面の例を示す図
【図４Ｂ】実施の形態１のデジタルカメラ１００の液晶モニタ１６３に表示される設定メニュー画面の例を示す図
【図４Ｃ】実施の形態１のデジタルカメラ１００の液晶モニタ１６３に表示される設定メニュー画面の例を示す図
【図４Ｄ】実施の形態１のデジタルカメラ１００の液晶モニタ１６３に表示される設定メニュー画面の例を示す図
【図４Ｅ】実施の形態１のデジタルカメラ１００の液晶モニタ１６３に表示されるマイクロホンゲイン設定値を設定するための画面の例を示す図
【図５】実施の形態１のデジタルカメラ１００の撮影動作の制御を示すフローチャート
【図６】実施の形態１のデジタルカメラ１００の動画撮影開始・終了処理の流れを示すフローチャート
【図７】実施の形態２に係るデジタルカメラ１００の操作部への機能割り当ての処理を示すフローチャート
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
［実施の形態１］
以下図１〜６を用いて、実施の形態１を説明する。
【００１２】
［１．構成］
以下、図面を用いてデジタルカメラの構成を説明する。
【００１３】
［１−１．デジタルカメラの構成］
図１は、実施の形態１に係るデジタルカメラ１００の正面側から見た斜視図である。図２は、実施の形態１に係るデジタルカメラ１００の背面側から見た斜視図である。デジタルカメラ１００は、カメラボディ１０２と、交換レンズ１０１とを含む。さらに、デジタルカメラ１００において、カメラボディ１０２の下面に、外部バッテリ装置であるバッテリグリップ１０３が装着されている。ここで、カメラボディ１０２の外装面には、複数の釦およびダイアル（１７０ａ〜１７０ｅ）を含む操作部１７０が設けられている。また、バッテリグリップ１０３の外装面には、複数の釦およびダイアル（２０４ａ〜２０４ｅ）を含む操作部２０４が設けられている。
【００１４】
図３は、実施の形態１に係るデジタルカメラ１００の電気的構成を示すブロック図である。前述のように、デジタルカメラ１００は、カメラボディ１０２と、それに装着可能な交換レンズ１０１とで構成される。カメラボディ１０２には、バッテリグリップ１０３が装着されている。交換レンズ１０１は、ズームレンズ駆動部１１３により駆動されるズームレンズ１１２を有している。カメラボディ１０２は、レンズコントローラ１２０を介してズームレンズ１１２を電気的に駆動することができる。すなわち、交換レンズ１０１は、電動ズームレンズである。
【００１５】
［１−２．カメラボディの構成］
図３に示すように、カメラボディ１０２は、ＣＭＯＳイメージセンサ１５０と、液晶モニタ１６３と、画像処理部１７２と、タイミング発生器（ＴＧ）１５１と、カメラコントローラ１５３と、ボディマウント１４０と、操作部１７０と、電池２０１と、電源切換回路３００ａと、ＤＣ／ＤＣコンバータ１５４と、ＤＲＡＭ１５５と、フラッシュメモリ１５６と、カードスロット１６５と、音響処理部１７１とをさらに備えて構成される。
【００１６】
カメラコントローラ１５３は、操作部１７０等の操作部材からの操作信号等の指示に応じて、ＣＭＯＳイメージセンサ１５０等のデジタルカメラ１００の各部を制御することにより、デジタルカメラ１００全体の動作を制御する。カメラコントローラ１５３は垂直同期信号をタイミング発生器１５１に送信する。垂直同期信号の送信と並行して、カメラコントローラ１５３は、垂直同期信号に基づいて露光同期信号を生成する。カメラコントローラ１５３は、生成した露光同期信号を、ボディマウント１４０及びレンズマウント１３０を介して、レンズコントローラ１２０に周期的に繰り返して送信する。これにより、カメラコントローラ１５３は、露光のタイミングに同期するように、交換レンズ１０１内のフォーカスレンズ１１０等のレンズを制御することが可能となる。カメラコントローラ１５３は、制御動作や画像処理動作の際に、ＤＲＡＭ１５５をワークメモリとして使用する。カメラコントローラ１５３は、ハードワイヤードな電子回路で構成してもよいし、プログラムを実行するマイクロコンピュータなどで構成してもよい。また、カメラコントローラ１５３は、画像処理部１７２やＤＲＡＭ１５５とともに１つの半導体チップで構成してもよく、あるいは、別個の半導体チップで構成してもよい。
【００１７】
ＣＭＯＳイメージセンサ１５０は、受光素子と、ＡＧＣ（ゲイン・コントロール・アンプ）と、ＡＤコンバータとを含んで構成される。受光素子は、交換レンズ１０１によって集光された光学的信号を電気信号に変換し、画像情報を生成する。またＡＧＣは、受光素子から出力された電気信号を増幅する。ＡＤコンバータは、ＡＧＣから出力された電気信号をデジタル信号に変換する。ＣＭＯＳイメージセンサ１５０は、タイミング発生器１５１により制御されるタイミングで動作する。タイミング発生器１５１により制御されるＣＭＯＳイメージセンサ１５０の動作には、静止画像の撮像動作、スルー画像の撮像動作、データ転送動作、電子シャッタ動作等がある。スルー画像は主に動画像であり、使用者が静止画像の撮像のための構図を決めるために、液晶モニタ１６３に表示される。ＣＭＯＳイメージセンサ１５０は、生成した画像情報を画像処理部１７２に出力する。なお、ＣＭＯＳイメージセンサ１５０に代えて、ＮＭＯＳイメージセンサやＣＣＤイメージセンサ等の他の撮像素子を用いてもよい。
【００１８】
画像処理部１７２は、ＣＭＯＳイメージセンサ１５０内のＡＤコンバータによってデジタル信号に変換された画像データに、所定の画像処理を施す。所定の画像処理としては、ガンマ補正処理、ホワイトバランス補正処理、キズ補正処理、ＹＣ変換処理、デジタルズーム処理、圧縮処理、伸張処理等が考えられるが、これに限られるものではない。
【００１９】
マイクロホン部１６１は、収音した音声を電気信号である音響信号に変換して出力する。音響処理部１７１は、マイクロホン部１６１から出力された音響信号を受信して、受信した音響信号に対して所定の音響処理を施す。所定の音響処理としては、カメラコントローラ１５３からの指示により定められたマイクロホンゲイン設定値を音響信号に乗じるゲイン乗算処理、音響信号の周波数特性を補正する周波数特性補正処理、マイクロホン部１６１の音響指向性を形成する指向性合成処理、音響信号に含まれる各種のノイズを抑圧するノイズ抑圧処理等が考えられるが、これに限られるものではない。ここで、ノイズ抑圧処理は、例えば、交換レンズ１０１の光学系の動作音によるノイズを抑圧する処理、風音によるノイズを抑圧する処理等を含むが、これに限られるものではない。カメラコントローラ１５３は、音響処理部１７１内のＡＤコンバータによってデジタル信号に変換された音響データを受信し、受信した音響データに対して所定の処理を施す。所定の処理としては、画像処理部１７２から受け付ける画像データと音響処理部１７１から受け付ける音響データとの間で同期を取り動画をメモリカード１６４に記録する動画記録処理等が考えられるが、これに限られるものではない。なお、マイクロホン部１６１は、複数のマイクロホン素子から構成されても良い。また、マイクロホン部１６１は、カメラボディ１０２の外部にあるマイクロホン素子を含んでも良い。
【００２０】
液晶モニタ１６３は、カメラボディ１０２の背面に配置される表示部である。液晶モニタ１６３は、画像処理部１７２によって処理された表示用の画像情報が示す画像を表示する。液晶モニタ１６３は、動画像および静止画を選択的に表示可能である。液晶モニタ１６３はまた、デジタルカメラ１００の設定条件等の情報を使用者に通知するための画像を表示可能である。本実施の形態では、カメラボディ１０２は表示部の一例として液晶モニタ１６３を備えるが、表示部はこれに限らない。例えば、カメラボディ１０２は、表示部として有機ＥＬディスプレイを備えてもよい。
【００２１】
フラッシュメモリ１５６は、画像情報等を記憶するための内部メモリとして機能する。またカメラコントローラ１５３が制御を行う際に使用するプログラム、パラメータ等を保存する。
【００２２】
カードスロット１６５は、メモリカード１６４をカメラボディ１０２に装着可能な接続手段である。カードスロット１６５は、メモリカード１６４を電気的及び機械的に接続可能である。カードスロット１６５はメモリカード１６４を制御する機能を備えてもよい。
【００２３】
メモリカード１６４は、その内部にフラッシュメモリ等の記憶素子を備えた外部メモリである。メモリカード１６４は、カメラコントローラ１５３で処理された画像情報等のデータを記憶可能である。また、メモリカード１６４は、その内部に記憶する画像情報等のデータを出力可能である。メモリカード１６４から読み出された画像データは、カメラコントローラ１５３や画像処理部１７２で処理され、例えば液晶モニタ１６３上に表示される。本実施の形態では、外部メモリの一例としてメモリカード１６４を示すが、外部メモリはこれには限らない。光ディスク等の記録媒体を外部メモリとして使用することもできる。
【００２４】
ボディマウント１４０は、交換レンズ１０１のレンズマウント１３０（後述）と機械的及び電気的に接続可能である。ボディマウント１４０は、レンズマウント１３０を介して、カメラボディ１０２と交換レンズ１０１との間でデータを送受信可能である。ボディマウント１４０は、カメラコントローラ１５３から受信した露光同期信号、その他の制御信号等を、レンズマウント１３０を介してレンズコントローラ１２０に送信する。また、ボディマウント１４０は、レンズマウント１３０を介してレンズコントローラ１２０から受信した信号をカメラコントローラ１５３に送信する。
【００２５】
電池２０１は、デジタルカメラ１００を駆動するための電力を供給する。電池２０１は、例えば乾電池であってもよいし、充電池であってもよい。また、電池２０１の代わりとして、電源コードを介して外部から供給される電力がデジタルカメラ１００に供給されてもよい。デジタルカメラ１００の電源は、電源スイッチ１５２が使用者によって操作されることよって、オンおよびオフの間で切り替えられる。電源がオンされると、カメラコントローラ１５３は、カメラボディ１０２内の各部に電力を供給する。また、カメラコントローラ１５３は、ボディマウント１４０およびレンズマウント１３０を介して交換レンズ１０１にも電力を供給する。そして、交換レンズ１０１内では、レンズコントローラ１２０により交換レンズ１０１の各部に電力が供給される。
【００２６】
カメラボディ１０２の電源切換回路３００ａは、電源切換回路３００の一部を構成する。電源切換回路３００ａは、バッテリグリップ１０３内に設けられた電源切換回路３００ｂとともに電源切換回路３００を構成する。電源切換回路３００は、カメラボディ１０２が有する電池２０１と、バッテリグリップ１０３が有する電池２０２とのうち、いずれからデジタルカメラ１００に電源を供給するかを切り替える（後述）。電源切換回路３００は、選択した電池からの電力をＤＣ／ＤＣコンバータ１５４に出力する。電源切換回路３００は、カメラコントローラ１５３により制御される。
【００２７】
ＤＣ／ＤＣコンバータ１５４は、電源切換回路３００からの電力を、デジタルカメラ１００の各部（負荷部）へ供給する。ＤＣ／ＤＣコンバータ１５４は、各部への電力の供給時、電池から供給される電圧を各部に適した電圧に変換する。
【００２８】
操作部１７０は、上下左右方向の操作指示が可能な十字釦１７０ａを含む。カメラボディ１０２に電動ズーム機能を有する交換レンズ１０１が装着されると、カメラコントローラ１５３は、十字釦１７０ａの左釦および右釦のそれぞれにズーム操作釦としての機能を割り当てる。例えば、カメラコントローラ１５３は、左釦にワイド端側方向のズーム操作釦としての機能を割り当て、右釦にテレ端側方向のズーム操作釦としての機能を割り当てる。なお、カメラボディ１０２に装着される電動ズーム機能を有する交換レンズ１０１が、使用者がズーム操作を行うためのズームレバーを有する場合、カメラコントローラ１５３は、必ずしも操作部１７０にズーム操作釦としての機能を割り当てる必要はない。
【００２９】
操作部１７０は、液晶モニタ１６３に、各種設定メニューを表示させるための、メニュー釦１７０ｂを含む。このメニュー釦１７０ｂには、各種の設定メニューにおいて設定を決定するための決定釦としての機能が、カメラコントローラ１５３によって割り当てられる場合がある。操作部１７０は、各種の設定を実施する手段として、十字釦１７０ａの他に、回転ダイアル１７０ｃを含む。使用者は、操作部１７０の十字釦１７０ａまたは回転ダイアル１７０ｃを用いて、液晶モニタ１６３に表示された設定メニュー画面上の各種の設定項目、設定値等を選択および設定することが出来る。
【００３０】
そのような設定メニュー画面の表示時、カメラコントローラ１５３は、十字釦１７０ａ、メニュー釦１７０ｂ、回転ダイアル１７０ｃ等に対する使用者による操作を検出すると、カメラコントローラ１５３は画面を遷移させる。例えば、カメラコントローラ１５３は、液晶モニタ１６３に表示される画面を、表示中の設定メニュー画面からより深い階層の設定メニュー画面に遷移させる。使用者は、遷移後の設定メニュー画面上に表示される各種の設定項目に対して所望の設定を行うことが出来る。
【００３１】
カメラボディ１０２の上面には、モード切替スイッチ１６６が設けられている。モード切替スイッチ１６６は、ＣＭＯＳイメージセンサ１５０から出力される映像信号を、画像処理部１７２を介して液晶モニタ１６３に表示する撮影待機モードか、または、メモリカード１６４に記録されている静止画または動画の再生をするための再生モードか、どちらかを選択し切り替えるためのスイッチである。
【００３２】
操作部１７０は、静止画の記録を開始する為の静止画レリーズ釦１７０ｄを含む。静止画レリーズ釦１７０ｄは、使用者による撮像指示またはオートフォーカス指示の操作を受け付ける。静止画レリーズ釦１７０ｄは、半押しと全押しの二段階操作可能な構成を有する。例えば、使用者による静止画レリーズ釦１７０ｄに対する半押し操作により、カメラコントローラ１５３はオートフォーカス動作を実行する。また、使用者による静止画レリーズ釦１７０ｄに対する全押し操作により、カメラコントローラ１５３は全押し操作のタイミングで生成された画像データをメモリカード１６４に記録する。
【００３３】
操作部１７０は、動画の記録を開始および終了する為の動画レリーズ釦１７０ｅを含む。動画を記録していないときに動画レリーズ釦１７０ｅが押下されると、デジタルカメラ１００は動画の記録動作を開始する。動画を記録しているときに動画レリーズ釦１７０ｅが押下されると、デジタルカメラ１００は動画の記録動作を終了する。
【００３４】
［１−３．交換レンズの構成］
図３に示すように、交換レンズ１０１は、フォーカスレンズ１１０およびズームレンズ１１２を含む光学系と、フォーカスレンズ駆動部１１１と、フォーカスリング１１４と、ズームレンズ位置検出部１１３ｂを有するズームレンズ駆動部１１３と、ズームリング１１５と、レンズコントローラ１２０と、ＤＲＡＭ１２１と、フラッシュメモリ１２２と、レンズマウント１３０とを備える。交換レンズ１０１の光学系は、図３に示すフォーカスレンズ１１０およびズームレンズ１１２に加えて手振れ補正用レンズをさらに備えてもよい。
【００３５】
レンズコントローラ１２０は交換レンズ１０１全体の動作を制御する。レンズコントローラ１２０は、ハードワイヤードな電子回路で構成してもよいし、プログラムを実行するマイクロコンピュータなどで構成してもよい。
【００３６】
ＤＲＡＭ１２１は、レンズコントローラ１２０が制御の際に用いるワークメモリとして機能する。フラッシュメモリ１２２は、レンズコントローラ１２０の制御の際に使用するプログラムやパラメータ、レンズデータ等を格納する。ここで、レンズデータは、レンズ名称、レンズＩＤ、シリアル番号、Ｆナンバー、焦点距離、など、交換レンズ１０１特有の特性値を含む。後述するように、レンズコントローラ１２０は、レンズデータをカメラコントローラ１５３に通知し、カメラコントローラ１５３はレンズデータに従って各種制御動作を実行することが可能となる。
【００３７】
ズームレンズ１１２は、交換レンズ１０１の光学系によって形成される被写体像の倍率を変化させるためのレンズである。ズームレンズ１１２のレンズ構成は何枚でも何群でもよい。
【００３８】
ズームレンズ駆動部１１３は、使用者によるズームリング１１５の操作に基づいて、ズームレンズ１１２を光学系の光軸に沿って移動させる機械的な機構である。ズームレンズ１１２の位置は随時ズームレンズ位置検出部１１３ｂにより検出され、レンズコントローラ１２０に通知される。
【００３９】
フォーカスレンズ１１０は、光学系から入射されＣＭＯＳイメージセンサ１５０上に形成される被写体像のフォーカス状態を変化させるためのレンズである。フォーカスレンズ１１０のレンズ構成は何枚でも何群でもよい。
【００４０】
フォーカスリング１１４は交換レンズ１０１の外装に設けられている。フォーカスリング１１４が使用者によって操作されると、フォーカスリング１１４の操作量に関する情報がレンズコントローラ１２０に通知される。レンズコントローラ１２０は、通知されたフォーカスリング１１４の操作量に関する情報に基づいて、フォーカスレンズ駆動部１１１を制御して、フォーカスレンズ１１０を駆動する。このため、レンズコントローラ１２０はフォーカスレンズ１１０の位置を認識している。
【００４１】
フォーカスレンズ駆動部１１１は、レンズコントローラ１２０の制御に基づいてフォーカスレンズ１１０を光学系の光軸に沿って進退するように駆動する。フォーカスレンズ駆動部１１１は、例えばステッピングモータ、ＤＣモータ、超音波モータ等により実現できる。
【００４２】
［１−４．バッテリグリップの構成］
図３に示すように、バッテリグリップ１０３は、電池２０２と、電源切換回路３００ｂと、操作部２０４とを備える。
【００４３】
電池２０２は、デジタルカメラ１００を駆動するための電力を供給する。電池２０２は、例えば乾電池であってもよいし、充電池であってもよい。また、電池２０２の代わりとして、電源コードを介して外部から供給される電力がデジタルカメラ１００に供給されてもよい。デジタルカメラ１００の電源は、電源スイッチ１５２が使用者によって操作されることによって、オンおよびオフの間で切り替えられる。電源がオンされると、カメラコントローラ１５３は、カメラボディ１０２内の各部に電力を供給する。また、カメラコントローラ１５３は、ボディマウント１４０およびレンズマウント１３０を介して交換レンズ１０１にも電力を供給する。そして、交換レンズ１０１内では、レンズコントローラ１２０により交換レンズ１０１の各部に電力が供給される。
【００４４】
電源切換回路３００ｂは、電源切換回路３００の一部を構成する。電源切換回路３００は、カメラボディ１０２が有する電池２０１とバッテリグリップ１０３が有する電池２０２とのうち、いずれからデジタルカメラ１００による電源を供給するかを切り替える。また、電源切換回路３００ｂは、カメラコントローラ１５３により制御される。
【００４５】
操作部２０４は、上下左右方向の操作指示が可能な十字釦２０４ａと、時計回りおよび反時計回りに回転させる操作が可能な回転ダイアル２０４ｃとを含む。カメラボディ１０２に電動ズーム機能を有する交換レンズ１０１が装着されると、カメラコントローラ１５３は、十字釦２０４ａの左釦および右釦のそれぞれにズーム操作釦としての機能を割り当てる。例えば、カメラコントローラ１５３は、左釦に、ワイド端側方向のズーム操作釦としての機能を割り当て、右釦に、テレ端側方向のズーム操作釦としての機能を割り当てる。なお、カメラボディ１０２に装着される電動ズーム機能を有する交換レンズ１０１が、使用者がズーム操作を行うためのズームレバーを有するときは、カメラコントローラ１５３は、必ずしも操作部２０４にズーム操作釦としての機能を割り当てる必要はない。
【００４６】
上述したように、バッテリグリップ１０３の操作部２０４の十字釦２０４ａおよび回転ダイアル２０４ｃその他の釦の配置は、カメラボディ１０２の操作部１７０に対して、デジタルカメラ１００の交換レンズ１０１の光軸を中心に、背面から見て時計回りに９０度回転した配置になっている。これにより、静止画を横位置（図１のＺ軸が上方を向くデジタルカメラ１００の位置）で撮影する際に使用者がカメラボディ１０２を把持して操作する場合の操作の動作と、静止画を縦位置（図１のＸ軸が上方を向くデジタルカメラ１００の位置）で撮影する際に使用者がバッテリグリップ１０３を把持して操作する場合の操作の動作とが、ほぼ同じ動作になる。したがって、カメラボディ１０２を把持する場合とバッテリグリップ１０３を把持する場合とで互いに類似の操作を提供し、使用者の使い易さを向上させることが出来る。一方で、使用者が動画を撮影する場合は、デジタルカメラ１００は通常横位置で撮影するように使用される。したがって、使用者が動画を撮影する場合は、カメラボディ１０２を把持する場合（横位置）とバッテリグリップ１０３を把持する場合（縦位置）とに必ずしも類似の操作を提供する必要は無い。
【００４７】
さらに、操作部２０４は、液晶モニタ１６３に各種設定メニューを表示させるための、メニュー釦２０４ｂを含む。このメニュー釦２０４ｂには、各種設定メニューにおいて設定を決定するための決定釦としての機能が、カメラコントローラ１５３によって割り当てられる場合がある。
【００４８】
カメラコントローラ１５３は、各種の設定を実施する手段としての機能を、十字釦２０４ａの他に、回転ダイアル２０４ｃに割り当てる。使用者は、十字釦２０４ａまたは回転ダイアル２０４ｃを用いて、液晶モニタ１６３に表示された設定メニュー画面上の各種の設定項目、設定値等を選択および設定することが出来る。
【００４９】
そのような設定メニュー画面の表示時、カメラコントローラ１５３は、十字釦２０４ａ、メニュー釦２０４ｂ、回転ダイアル２０４ｃ等に対する使用者による操作を検出すると、画面を遷移させる。例えば、カメラコントローラ１５３は、液晶モニタ１６３に表示される画面を、表示中の設定メニュー画面からより深い階層の設定メニュー画面に遷移させる。使用者は、遷移後の設定メニュー画面上に表示される各種の設定項目に対して所望の設定を行うことが出来る。
【００５０】
バッテリグリップ１０３は、ＣＭＯＳイメージセンサ１５０から出力される映像信号を、画像処理部１７２を介して液晶モニタ１６３に表示する撮影待機モードか、または、メモリカード１６４に記録されている静止画または動画の再生をするための再生モードか、どちらかを選択し切り替えるためのモード切替スイッチを含んでもよい。
【００５１】
操作部２０４は、静止画の記録を開始する為の静止画レリーズ釦２０４ｄを含む。静止画レリーズ釦２０４ｄは、使用者による撮像指示またはオートフォーカス指示の操作を受け付ける。静止画レリーズ釦２０４ｄは、半押しと全押しの二段階操作可能に構成されている。例えば、使用者による静止画レリーズ釦２０４ｄに対する半押し操作により、カメラコントローラ１５３はオートフォーカス動作を実行する。また、使用者による静止画レリーズ釦２０４ｄに対する全押し操作により、カメラコントローラ１５３は全押し操作のタイミングに応じて生成された画像データをメモリカード１６４に記録する。
【００５２】
操作部２０４は、動画の記録を開始および終了する為の動画レリーズ釦２０４ｅを含む。動画を記録していないときに動画レリーズ釦２０４ｅが押下されると、デジタルカメラ１００は動画の記録動作を開始する。動画を記録しているときに動画レリーズ釦２０４ｅが押下されると、デジタルカメラ１００は動画の記録動作を終了する。
【００５３】
操作部２０４の静止画レリーズ釦２０４ｄは、図１に示すように、バッテリグリップ１０３の右側面に配置される。すなわち、バッテリグリップ１０３の操作部２０４の静止画レリーズ釦２０４ｄは、カメラボディ１０２の操作部１７０の静止画レリーズ釦１７０ｄが配置される上面とは異なる面に配置されている。より具体的には、バッテリグリップ１０３の操作部２０４の静止画レリーズ釦２０４ｄは、デジタルカメラ１００の交換レンズ１０１の光軸を中心に、カメラボディ１０２の操作部１７０の静止画レリーズ釦１７０ｄの位置から約９０度回転した位置に相当する位置に配置されている。
【００５４】
また、操作部２０４の十字釦２０４ａ、メニュー釦２０４ｂ、回転ダイアル２０４ｃおよび動画レリーズ釦２０４ｅは、バッテリグリップ１０３の背面に配置される。より具体的には、バッテリグリップ１０３の操作部２０４の十字釦２０４ａ、メニュー釦２０４ｂ、回転ダイアル２０４ｃおよび動画レリーズ釦２０４ｅは、デジタルカメラ１００の光軸を中心に、カメラボディ１０２の操作部１７０の十字釦１７０ａ、メニュー釦１７０ｂ、回転ダイアル１７０ｃおよび動画レリーズ釦１７０ｅの位置から約９０度回転した位置に相当する位置に配置されている。
【００５５】
［１−５．設定メニューの階層構造］
図４Ａ〜４Ｅを用いて、設定メニューの階層構造を説明する。図４Ａ〜４Ｅは、図２の液晶モニタ１６３に表示される設定メニュー画面の遷移例を示す図である。設定メニューは、デジタルカメラ１００の種々の設定を行うために使用される。
【００５６】
マイクロホンゲイン設定値（入力音声レベル）は、動画記録時においてに使用される設定値であり、静止画撮影時には使用されない設定値であり、マイクロホンゲイン設定値を設定するためのメニューは、設定メニューの中の深い階層に置かれている。撮影待機モードにおいて、使用者がマイクロホンゲイン設定値を設定する場合、使用者はカメラボディ１０２またはバッテリグリップ１０３の釦またはダイアルを複数回操作してメニューの階層を掘り下げることによって、マイクロホンゲイン設定値を変更するための所定のメニューに到達しなければならなかった。以下、これを図４Ａ〜４Ｅを用いて説明する。
【００５７】
カメラコントローラ１５３は、ユーザによるカメラボディ１０２またはバッテリグリップ１０３のメニュー釦１７０ｂまたは２０４ｂの押下を検出すると、図４Ａに示す設定メニュー画面を液晶モニタ１６３に表示させる。図４Ａの設定メニュー画面は、「フィルムモード」、「画像横縦比」等の、静止画撮影に関連する設定項目を選択する操作を受け付けるための画面である。また、図４Ａの設定メニュー画面の左側部分に設けられたジャンル選択領域Ａには、デジタルカメラ１００の動作に関連する設定項目の複数のジャンルにそれぞれ対応する複数のアイコンが表示されている。図４Ａのジャンル選択領域Ａにおいて、静止画撮影のアイコンが選択されており、他のアイコンと区別して表示されている。
【００５８】
使用者は、動画撮影に関連するマイクロホンゲイン設定値を設定するためには、以下に説明するように、設定メニューの階層構造を辿る操作を行うことによって設定メニュー画面（図４Ａ〜４Ｄ）を遷移させる必要がある。まず、使用者は、図４Ａの設定メニュー画面から１階層上へ移動するために、カメラボディ１０２またはバッテリグリップ１０３の十字釦１７０ａまたは２０４ａに対して所定の操作（例えば左釦の押下）を行う。カメラコントローラ１５３は、当該操作を検出すると、設定メニューを１階層だけ上に移動し、ジャンル選択領域Ａにおいて、デジタルカメラ１００の設定項目のジャンルが選択可能となる。
【００５９】
図４Ｂの設定メニュー画面において、カメラコントローラ１５３は、十字釦１７０ａまたは２０４ａに対する所定の操作（例えば上釦または下釦の押下）の検出に応じて、使用者によって選択されるアイコンを切り替える。例えば、十字釦１７０ａまたは２０４ａの下釦の押下に応じて、カメラコントローラ１５３は、図４Ｃの設定メニュー画面に示すように、選択されたジャンルを示すアイコンを切り替える。使用者がさらに、十字釦１７０ａまたは２０４ａに対して、動画撮影のジャンルの選択を決定するための所定の操作（例えば右釦の押下）を行うと、カメラコントローラ１５３は、設定メニューを１階層だけ下に移動して、「フィルムモード」等の動画撮影に関連する設定項目の選択を受け付けることを可能とする。
【００６０】
使用者は、図４Ｃに示す設定メニュー画面において十字釦１７０ａまたは２０４ａに対して所定の操作（例えば上釦または下釦の押下）を行うことによって、画面をスクロールし、図４Ｄに示す設定メニュー画面を表示させることができる。これによって、使用者は、図４Ｄに示す設定メニュー画面において、マイクロホンゲイン設定に対応する「マイクレベル設定」の項目を選択できる。使用者がさらに、十字釦１７０ａまたは２０４ａに対して、当該選択を決定するための所定の操作（例えば右釦の押下）を行うと、カメラコントローラ１５３は、設定メニューを１階層だけ下に移動して、マイクロホンゲイン設定を変更するための図４Ｅの画面を液晶モニタ１６３に表示させる。
【００６１】
図４Ｅの画面が表示された状態において、カメラコントローラ１５３は、使用者による十字釦１７０ａまたは２０４ａに対する所定の操作（例えば右釦または左釦の押下）に応じて、マイクロホンゲイン設定値を変更、設定する処理を実行する。
【００６２】
以上説明したように、使用者は、マイクロホンゲイン設定値を設定するための画面（図４Ｅ）に到達するために、複数の設定メニュー画面（図４Ａ〜４Ｅ）を辿る必要があり、複数の操作を行う必要がある。
【００６３】
これに対して、本実施の形態のデジタルカメラ１００は、使用者が、動画撮影時において、メニュー画面の複数の階層を移動するために複雑な操作を行うことなく、動画撮影に関連する設定を簡単に行うことを可能とする。デジタルカメラ１００のこのような動作について、図５および図６を参照して以下に説明する。
【００６４】
カメラボディ１０２の操作部１７０は、第１操作部の一例である。バッテリグリップ１０３の操作部２０４は、第２操作部の一例である。カメラコントローラ１５３は、制御部の一例である。デジタルカメラ１００は、撮像装置の一例である。ＣＭＯＳイメージセンサ１５０は、撮像部の一例である。
【００６５】
［２．動作］
［２−１．デジタルカメラ１００の撮影動作］
以上のように構成されたデジタルカメラ１００について、その動作を以下説明する。図５は、デジタルカメラ１００の撮影動作の制御を示すフローチャートである。
【００６６】
使用者によるカメラボディ１０２のモード切替スイッチ１６６に対する操作によりデジタルカメラ１００が撮影待機モードに移行すると、カメラコントローラ１５３は、静止画像または動画像の記録のための初期化処理を行う（Ｓ４０１）。
【００６７】
初期化完了後、カメラコントローラ１５３は、使用者による操作の確認処理を繰り返す。使用者による操作の確認処理として、カメラコントローラ１５３は、具体的には、カメラボディ１０２のモード切替スイッチ１６６により設定された撮影待機モード状態の確認（Ｓ４０３）、動画レリーズ釦１７０ｅまたは２０４ｅの押下の検知（Ｓ４０５）、および静止画レリーズ釦１７０ｄまたは２０４ｄの押下の検知（Ｓ４０９）を繰り返す。このとき、カメラボディ１０２のモード切替スイッチ１６６の状態が撮影待機モードでなければ（ステップＳ４０３でＮＯ）、図５の処理を終了する。
【００６８】
カメラボディ１０２のモード切替スイッチ１６６の状態が撮影待機モードである場合（ステップＳ４０３でＹＥＳ）、カメラコントローラ１５３は、カメラボディ１０２またはバッテリグリップ１０３の動画レリーズ釦１７０ｅまたは２０４ｅの押下を検知すると（ステップＳ４０５でＹＥＳ）、動画撮影開始・終了処理を行う（Ｓ４０７）。また、カメラコントローラ１５３は、カメラボディ１０２またはバッテリグリップ１０３の静止画レリーズ釦１７０ｄまたは２０４ｄの押下を検知すると（ステップＳ４０９でＹＥＳ）、静止画撮影処理を行う（Ｓ４１１）。具体的には、カメラコントローラ１５３は、使用者による静止画レリーズ釦１７０ｄまたは２０４ｄの押下を検知すると、静止画レリーズ釦１７０ｄまたは２０４ｄが押下されたタイミングにおいて、ＣＭＯＳイメージセンサ１５０が生成した画像情報に基づいて画像処理部１７２により生成される静止画をメモリカード１６４等の記録媒体に記録する（Ｓ４１１）。
【００６９】
［２−２．機能の割り当て動作］
図６のフローチャートを用いて、動画撮影開始・終了処理（ステップＳ４０７）の詳細を説明する。図６は、動画撮影開始・終了処理の流れを示すフローチャートである。
【００７０】
図６の動画撮影開始・終了処理では、カメラコントローラ１５３は、カメラボディ１０２またはバッテリグリップ１０３の動画レリーズ釦１７０ｅまたは２０４ｅの押下を検知すると、デジタルカメラ１００の動作状態が動画記録中であるか否かを判定する（Ｓ５０１）。
【００７１】
本実施形態では、デジタルカメラ１００の動作状態が動画記録中でない場合、すなわち、動画記録動作が未だ開始されていない場合、使用者がカメラボディ１０２またはバッテリグリップ１０３の動画レリーズ釦１７０ｅまたは２０４ｅを押下すると、動画記録動作が開始される。この点を考慮して、デジタルカメラ１００の動作状態が動画記録中でない場合（ステップＳ５０１でＮＯ）、カメラコントローラ１５３は、バッテリグリップ１０３の十字釦２０４ａおよび回転ダイアル２０４ｃの機能割り当てを動画用に設定する（Ｓ５０３）。この処理により、バッテリグリップ１０３の十字釦２０４ａおよび回転ダイアル２０４ｃは、カメラボディ１０２の十字釦１７０ａおよび回転ダイアル１７０ｃとは、それぞれ異なる機能が割り当てられる。
【００７２】
たとえば、カメラボディ１０２の回転ダイアル１７０ｃにシャッタースピード設定値変更機能が割り当てられている場合に、カメラコントローラ１５３は、バッテリグリップ１０３の回転ダイアル２０４ｃに、マイクロホンゲイン設定値変更機能を割り当てる。この場合、使用者がバッテリグリップ１０３の回転ダイアル２０４ｃを操作したときに、直ぐに、図４Ｅに示すマイクレベル設定画面が液晶モニタ１６３に表示される。よって、バッテリグリップ１０３の回転ダイアル２０４ｃを操作することによって、使用者は、所定のメニューに到達するためにカメラボディ１０２の操作部１７０を複数回操作してメニューの階層を掘り下げることなく、マイクロホンゲイン設定値を変更できる。
【００７３】
続いて、カメラコントローラ１５３は、画像処理部１７２に対して動画記録開始の指示を行う（Ｓ５０５）。この指示に従い、画像処理部１７２は、ＣＭＯＳイメージセンサ１５０により生成された画像情報に基づき所定の処理を施す。所定の処理が施された画像情報は、動画像として順次、メモリカード１６４等の記録媒体に記録される。カメラコントローラ１５３は、これら所定の処理および動画像の記録の処理を、カメラボディ１０２またはバッテリグリップ１０３の動画レリーズ釦１７０ｅまたは２０４ｅの再度の押下による動画記録停止の指示を受けるまで実行する。
【００７４】
一方、本実施形態では、デジタルカメラ１００の動作状態が動画記録中の場合、使用者がカメラボディ１０２またはバッテリグリップ１０３の動画レリーズ釦１７０ｅまたは２０４ｅを押下すると、カメラコントローラ１５３は動画記録動作を停止する。この点を考慮して、デジタルカメラ１００の動作状態が動画記録中である場合（ステップＳ５０１でＹＥＳ）、カメラコントローラ１５３は、バッテリグリップ１０３の十字釦２０４ａおよび回転ダイアル２０４ｃの機能割り当てを静止画用に設定する（Ｓ５０７）。この処理により、バッテリグリップ１０３の十字釦２０４ａおよび回転ダイアル２０４ｃには、それぞれ、カメラボディ１０２の十字釦１７０ａおよび回転ダイアル１７０ｃと、同じ機能が割り当てられる。この場合、マイクロホンレベルを設定するためには、図４Ａ〜４Ｅに示したように使用者は階層的に設定メニュー画面を辿って行く必要がある。これにより、カメラボディ１０２を把持する場合（横位置）とバッテリグリップ１０３を把持する場合（縦位置）とで互いに類似の操作を提供し、使用者の使い易さを向上させることが出来る。その後、カメラコントローラ１５３は、画像処理部１７２に対して動画記録停止の指示を行う（Ｓ５０９）。
【００７５】
以上のように、本実施の形態のデジタルカメラ１００では、動画記録の開始時に、バッテリグリップ１０３の十字釦２０４ａおよび回転ダイアル２０４ｃの機能割り当てを動画用に設定する。このとき、バッテリグリップ１０３の十字釦２０４ａおよび回転ダイアル２０４ｃに、より下位の階層に位置する設定項目に対応した動画撮影に関連する機能が割り当てられる。一方、動画記録の終了時に、バッテリグリップ１０３の十字釦２０４ａおよび回転ダイアル２０４ｃの機能割り当てを静止画用に設定する。これにより、動画記録中、使用者は、動画撮影のための設定を行う所定のメニュー（マイクロホンレベル設定メニュー）に到達するために、カメラボディ１０２の操作部１７０の複数の釦を複数回操作してメニューの階層を掘り下げる必要がなくなる。すなわち、使用者は、バッテリグリップ１０３の十字釦２０４ａまたは回転ダイアル２０４ｃを操作することによって、迅速に例えばマイクロホンゲイン設定値を設定することができ、動画記録における使用者の設定動作を簡便にできる。
【００７６】
［３．まとめ］
以上のように、本実施の形態において、デジタルカメラ１００は、バッテリグリップ１０３の十字釦２０４ａ、回転ダイアル２０４ｃ等の機能割り当てを、動画撮影時と静止画撮影時とで変更することが可能な撮像装置であって、動画記録動作を開始または停止する指示を受け付ける動画レリーズ釦（１７０ｅまたは２０４ｅ）を操作部１７０または操作部２０４に備え、バッテリグリップ１０３の十字釦２０４ａや回転ダイアル２０４ｃなどの機能割り当てを動画撮影時と静止画撮影時とで変更するカメラコントローラ１５３を備える。
【００７７】
これにより、カメラコントローラ１５３は、動画記録中、バッテリグリップ１０３の十字釦２０４ａおよび回転ダイアル２０４ｃの機能割り当てを静止画用とは異なる動画用に設定する。そのため、例えば動画記録中にマイクロホンゲイン設定値を設定する際における使用者の設定動作を簡便にするデジタルカメラ１００を提供することができる。
【００７８】
［実施の形態２］
本実施の形態２において、デジタルカメラ１００は、動画記録のための画像データが生成される動画撮影モードと、静止画記録のための静止画撮影モードを有する。上記実施の形態１では、カメラコントローラ１５３は、動画記録動作の開始および終了のタイミングで、操作部２０４への機能割り当てを変更した。すなわち、カメラコントローラ１５３は、画像データを動画として記録する動画記録処理を実行しているときは、カメラボディ１０２およびバッテリグリップ１０３の操作部１７０および２０４の各々に互いに異なる機能を割り当てる。その一方、カメラコントローラ１５３は、動画記録処理を実行していないときは、操作部１７０および操作部２０４に同一の機能を割り当てるようにした。これに対して本実施の形態では、カメラコントローラ１５３は、デジタルカメラ１００が動画撮影モードにあるか否かに応じて、操作部２０４への機能割り当てを変更する。
【００７９】
図７を参照して、本実施の形態におけるデジタルカメラの操作部への機能割り当ての処理を説明する。
【００８０】
カメラコントローラ１５３は、例えば、電源オン時やカメラボディ１０２のモード切替スイッチ１６６が操作されたときに、デジタルカメラ１００が動画撮影モードにあるか否かを判定する（Ｓ６０１）。
【００８１】
デジタルカメラ１００の動作モードが動画撮影モードである場合（ステップＳ６０１でＹＥＳ）、カメラコントローラ１５３は、バッテリグリップ１０３の十字釦２０４ａおよび回転ダイアル２０４ｃの機能割り当てを動画用に設定する（Ｓ６０２）。例えば、カメラコントローラ１５３は、十字釦２０４ａおよび回転ダイアル２０４ｃにマイクロホンゲイン設定値を設定する機能を割り当てる。
【００８２】
一方、デジタルカメラ１００の動作モードが動画撮影モードと異なるモード（例えば静止画撮影モード）である場合（ステップＳ６０１でＮＯ）、カメラコントローラ１５３は、バッテリグリップ１０３の十字釦２０４ａおよび回転ダイアル２０４ｃの機能割り当てを静止画用に設定する（Ｓ６０３）。
【００８３】
以上のように構成された本実施の形態において、デジタルカメラ１００によれば、カメラコントローラ１５３は、動作モードが動画撮影モードであるときにはカメラボディ１０２の操作部１７０およびバッテリグリップ１０３の操作部２０４の各々に互いに異なる機能を割り当てる。また、動画撮影モードでないときには、カメラコントローラ１５３は、カメラボディ１０２の操作部１７０およびバッテリグリップ１０３の操作部２０４に同一の機能を割り当てる。すなわち、カメラコントローラ１５３は、動画撮影を行うための状態であるときにカメラボディ１０２の操作部１７０およびバッテリグリップ１０３の操作部２０４の各々に互いに異なる機能を割り当てる。一方、動画撮影を行うための状態でないときにはカメラボディ１０２の操作部１７０およびバッテリグリップ１０３の操作部２０４に同一の機能を割り当てる。
【００８４】
これにより、動画撮影モードにおいて、使用者は、メニューの階層を掘り下げて所定のメニューに到達するためにカメラボディ１０２の釦、ダイアル等を複数回操作することなく、バッテリグリップ１０３に設けられた操作部２０４の例えば十字釦２０４ａまたは回転ダイアル２０４ｃを操作することによって、マイクロホンゲイン設定値を設定することができる。そのため、動画記録における使用者の設定動作を簡便にできる。
【００８５】
［他の実施の形態］
以上のように、本出願において開示する技術の例示として、実施の形態１および２を説明した。しかしながら、本開示における技術は、これに限定されず、適宜、変更、置き換え、付加、省略などを行った実施の形態にも適用可能である。また、上記実施の形態１および２で説明した各構成要素を組み合わせて、新たな実施の形態とすることも可能である。
【００８６】
そこで、以下、他の実施の形態を例示する。
【００８７】
動画用設定として、バッテリグリップ１０３の十字釦２０４ａおよび回転ダイアル２０４ｃに割り当てられる機能としては、マイクロホンのゲイン設定値を設定する機能のほかに、マイクロホン部１６１により収音された入力音声の周波数特性の補正処理を設定する機能、マイクロホン部１６１の指向性の合成処理を設定する機能、入力音声のノイズの抑圧処理を設定する機能、動画撮影のためのオートフォーカス設定を変更する機能等が考えられるが、これに限られるものではない。
【００８８】
上記実施の形態において、カメラコントローラ１５３は、一例としてバッテリグリップ１０３の十字釦２０４ａおよび回転ダイアル２０４ｃの機能割り当てを動画用に設定した。しかしながら、本開示はこれに限らず、バッテリグリップ１０３に設けられた操作部２０４の１つまたは複数の任意の釦またはダイアルの機能割り当てを動画用に設定してもよい。
【００８９】
上記実施の形態において、カメラボディ１０２およびバッテリグリップ１０３の操作部１７０および２０４はそれぞれ、十字釦（１７０ａ，２０４ａ）、メニュー釦（１７０ｂ，２０４ｂ）、回転ダイアル（１７０ｃ，２０４ｃ）、静止画レリーズ釦（１７０ｄ，２０４ｄ）、および動画レリーズ釦（１７０ｅ，２０４ｅ）を含む。しかしながら、本開示はこれに限らず、カメラボディ１０２およびバッテリグリップ１０３の操作部１７０および２０４はそれぞれ、例えば、モード切り替えボタン、ホワイトバランスを設定するための釦、ＩＳＯ感度を設定するための釦、露出補正を設定するための釦、その他各種の釦、ダイアル、操作レバー等をさらに含んでもよく、あるいは、これらの釦、ダイアル、操作レバー等の任意の組み合わせを含んでもよい。
【００９０】
以上のように、本開示における技術の例示として、実施の形態を説明した。そのために、添付図面および詳細な説明を提供した。
【００９１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９２】
また、上述の実施の形態は、本開示における技術を例示するためのものであるから、特許請求の範囲またはその均等の範囲において種々の変更、置き換え、付加、省略などを行うことができる。
【産業上の利用可能性】
【００９３】
本開示は、複数の操作部を接続可能な電子機器に適用可能である。具体的には、デジタルカメラ、ムービーカメラ、カメラ付き携帯電話、ゲーム機などに、本開示は適用可能である。
【符号の説明】
【００９４】
１００  デジタルカメラ
１０１  交換レンズ
１０２  カメラボディ
１０３  バッテリグリップ
１１０  フォーカスレンズ
１１１  フォーカスレンズ駆動部
１１２  ズームレンズ
１１３  ズームレンズ駆動部
１１４  フォーカスリング
１１５  ズームリング
１２０  レンズコントローラ
１２１  ＤＲＡＭ（交換レンズ１０１側）
１２２  フラッシュメモリ（交換レンズ１０１側）
１３０  レンズマウント
１４０  ボディマウント
１５０  ＣＭＯＳイメージセンサ
１５１  ＴＧ
１５２  電源スイッチ
１５３  カメラコントローラ
１５５  ＤＲＡＭ（カメラボディ１０２側）
１５６  フラッシュメモリ（カメラボディ１０２側）
１６１  マイクロホン部
１６３  液晶モニタ
１６４  メモリカード
１６５  カードスロット
１７０  操作部（カメラボディ１０２側）
１７０ａ  十字釦
１７０ｂ  メニュー釦
１７０ｃ  回転ダイアル
１７０ｄ  静止画レリーズ釦
１７０ｅ  動画レリーズ釦
１６６  モード切替スイッチ
１７１  音響処理部
１７２  画像処理部
２０１  電池（カメラボディ１０２側）
２０２  電池（バッテリグリップ１０３側）
２０４  操作部（バッテリグリップ１０３側）
２０４ａ  十字釦
２０４ｂ  メニュー釦
２０４ｃ  回転ダイアル
２０４ｄ  静止画レリーズ釦
２０４ｅ  動画レリーズ釦
３００  電源切換回路
【図１】
2014112833.tif 000003
【図２】
2014112833.tif 000004
【図３】
2014112833.tif 000005
【図４Ａ】
2014112833.tif 000006
【図４Ｂ】
2014112833.tif 000007
【図４Ｃ】
2014112833.tif 000008
【図４Ｄ】
2014112833.tif 000009
【図４Ｅ】
2014112833.tif 000010
【図５】
2014112833.tif 000011
【図６】
2014112833.tif 000012
【図７】
2014112833.tif 000013